(57)【要約】【課題】ハンドセットの受話側の低域感度を確保し得る。【解決手段】実施形態によれば、ハンドセットは、音声通話を行うための送話器及び受話器を備えるハンドセットを対象にし、第１の筐体と、第２の筐体と、連結部と、第１及び第２の穴とを備える。第１の筐体は、前記受話器を収容する。第２の筐体は、前記送話器を収容する。連結部は、前記第１及び第２の筐体の間を連結し、話者が手で持つ箇所を有する。第１及び第２の穴は、前記第１の筐体の前記受話器の音声出力側とは反対の背面側で、前記連結部の長手方向の一端側及び他端側の位置に貫通して形成される。【選択図】      図４
2013115742.tif 000002
【特許請求の範囲】
【請求項１】
音声通話を行うための送話器及び受話器を備えるハンドセットにおいて、
前記受話器を収容する第１の筐体と、
前記送話器を収容する第２の筐体と、
前記第１及び第２の筐体の間を連結し、話者が手で持つ箇所を有する連結部と、
前記第１の筐体の前記受話器の音声出力側とは反対の背面側で、前記連結部の長手方向の一端側及び他端側の位置に貫通して形成される第１及び第２の穴とを具備するハンドセット。
【請求項２】
前記第１及び第２の穴は、前記第１の筐体の互いに対向する位置に形成される請求項１記載のハンドセット。
【請求項３】
前記受話器の背面側には、前記受話器内部の空気を当該背面側に送る空気穴を設ける請求項１記載のハンドセット。
【請求項４】
音声通話を行うための送話器及び受話器を備えるハンドセットと、
前記ハンドセットを接続し、ネットワークとの間で所定の音声通話処理を実行する本体部とを具備し、
前記ハンドセットは、
前記受話器を収容する第１の筐体と、
前記送話器を収容する第２の筐体と、
前記第１及び第２の筐体の間を連結し、話者が手で持つ箇所を有する連結部と、
前記第１の筐体の前記受話器の音声出力側とは反対の背面側で、前記連結部の長手方向の一端側及び他端側の位置に貫通して形成される第１及び第２の穴とを備える通信機器。
【請求項５】
前記第１及び第２の穴は、前記第１の筐体の互いに対向する位置に形成される請求項４記載の通信機器。
【請求項６】
前記受話器の背面側には、前記受話器内部の空気を当該背面側に送る空気穴を設ける請求項４記載の通信機器。
【発明の詳細な説明】
【技術分野】
【０００１】
本発明の実施形態は、音声通話を行うための送話器及び受話器を備えるハンドセットと、このハンドセットを備える通信機器に関する。
【背景技術】
【０００２】
音声通話（送話と受話）を行う電話機は、ハンドセットで通話することが可能である。ところで、近年では、ＩＰ(Internet Protocol)電話システムが普及し始めている。このＩＰ電話システムでは、例えばＬＡＮ(Local Area Network)やインターネットを含むＩＰ網にＩＰ電話機を接続すると共に、ＩＰ網上の呼制御サーバにおいてプロトコル変換及びデータのフォーマット変換等を行うことにより、ＩＰ電話機間及びＩＰ電話機と一般電話網との間で音声通信を可能にしている。
【０００３】
従来のアナログ電話システムでは音声コーデックを電話局の交換機に持ち、符号化方式にはＩＴＵ−Ｔ・Ｇ．７１１が用いられてきたが、ＩＰ電話システムでは音声コーデックを電話端末側に実装するため音声コーデックを選択できるようになった。広帯域をカバーするコーデックを使用することにより、従来の電話機よりも高い音や低い音も再生できるようになり話し声も聞き取りやすくなるため、広帯域音声の要求が高まっている。
【０００４】
なお、近年では、ハンドセットの受話器側に受話器から出力される音声をハンドセットケースの外部に逃すための穴を設けることで、音響調整の範囲を拡げて、人の耳に入る音質の向上を実現する技術が提案されている。
【先行技術文献】
【特許文献】
【０００５】
【特許文献１】特開平０４−２３６５４６号公報
【特許文献２】特開平１１−２６６４８９号公報
【特許文献３】実開平０５−０６０００１号公報
【発明の概要】
【発明が解決しようとする課題】
【０００６】
ところで、上記技術では、ハンドセットの持ち方によって、穴が塞がれてしまうことがある。すると、低域感度（１５０Ｈｚ〜２５０Ｈｚ）が悪くなってしまう。
【０００７】
本発明の目的は、ハンドセットの受話側の低域感度を確保し得るハンドセット及び通信機器を提供することにある。
【課題を解決するための手段】
【０００８】
実施形態によれば、ハンドセットは、音声通話を行うための送話器及び受話器を備えるハンドセットを対象にし、第１の筐体と、第２の筐体と、連結部と、第１及び第２の穴とを備える。第１の筐体は、前記受話器を収容する。第２の筐体は、前記送話器を収容する。連結部は、前記第１及び第２の筐体の間を連結し、話者が手で持つ箇所を有する。第１及び第２の穴は、前記第１の筐体の前記受話器の音声出力側とは反対の背面側で、前記連結部の長手方向の一端側及び他端側の位置に貫通して形成される。
【図面の簡単な説明】
【０００９】
【図１】第１の実施形態における電話機の外観図。
【図２】上記図１に示した電話機本体の内部構成を示すブロック図。
【図３】第１の実施形態において、レシーバ及びマイクロホンをハンドセットに収容する手順及びその構造を示す分解斜視図。
【図４】第１の実施形態において、レシーバをハンドセットに収容した時の内部構成を示す断面図。
【図５】第１の実施形態において、レシーバ２１の構造を示す平面図。
【図６】第１の実施形態において、音声の感度を示す特性図。
【図７】第１の実施形態において、ハンドセットを製造する際の金型構造とその動きを示す断面図。
【図８】第２の実施形態として、ハンドセットの第１の筐体側の内部構造を示す断面図。
【発明を実施するための形態】
【００１０】
以下、実施の形態について、図面を参照して説明する。
【００１１】
（第１の実施形態）  
図１は、第１の実施形態における電話機の外観図である。  
図１において、符号１は電話機本体で、前面パネル部の図中左側には、受話用のレシーバ、送話用のマイクロホンを備えたハンドセット２が配設されている。電話機本体１の前面パネル部には、ＬＣＤ等を使用した表示部１１が配置され、さらにこの表示部１１の下方パネル部にはダイヤルキー、機能キー等からなるキーマトリクス１２が配設されている。
【００１２】
図２は、電話機本体１の内部構成を示すブロック図である。  
電話機本体１は、伝送部１３、通話処理部１４、主制御部１５を有している。伝送部１３は、ネットワークＮＷを介して外部の機器との間で伝送により種々のデータの授受を行なう。また、伝送部１３は、外部の機器から送られてきた例えばＩＰパケット中から通話信号や制御信号を抽出し、通話信号を通話処理部１４へ、制御信号を主制御部１５へとそれぞれ与える。さらに伝送部１３は、通話処理部１４や主制御部１５から与えられるシリアルデータ信号を時分割多重して伝送用のＩＰパケットを生成し、ネットワークＮＷ側へ送信する。
【００１３】
通話処理部１４は、伝送部１３から与えられる通話信号に含まれる通話データを取り出して、この通話データからアナログの受話音声信号を再生する。そして、通話処理部１４は、この再生した受話音声信号によりハンドセット２のレシーバ２１を駆動し、受話音声の出力を行なわせる。また、通話処理部１４には、ハンドセット２のマイクロホン２２で生成されたアナログの送話音声信号が入力される。通話処理部１４は、この送話音声信号を所定形態の通話信号に変換して、伝送部１３へと与える。
【００１４】
主制御部１５は、ＣＰＵ、ＲＯＭ、ＲＡＭなどを有して構成され、ソフトウェア処理により本電話機の各部の制御を行なう。
【００１５】
表示部１１には、主制御部１５から出力された自機器の動作状態を表す種々情報、電話帳なども表示される。
【００１６】
ところで、上記ハンドセット２へのレシーバ２１及びマイクロホン２２の収容は、次のように行われる。図３は、その接続手順と接続構造を示すハンドセット２の分解斜視図である。
【００１７】
図３において、１１０はハンドセットベースで、開口部にハンドセットカバー２００が装着される。ハンドセットベース１１０は、第１の筐体１１１と、第２の筐体１１２と、これら第１の筐体１１１及び第２の筐体１１２を連結する連結部１１３とを一体的に形成したものである。第１の筐体１１１にはレシーバ２１の音声出力部２１ａがスポンジ１２０を介して収容される。第２の筐体１１２には、マイクロホン２２が支持部１３０を介して収容される。連結部１１３は、中央部に話者が手でハンドセット２を握る箇所を有する。
【００１８】
レシーバ２１及びマイクロホン２２は、配線２３，２４を介してコネクタ２５に接続される。コネクタ２５は、第２の筐体１１２に収容され、実装時に配線を介して電話機本体１側のコネクタに接続される。
【００１９】
レシーバ２１が第１の筐体１１１に収容され、マイクロホン２２及びコネクタ２５が第２の筐体１１２に収容されると、レシーバ２１の音声出力部２１ａの反対側となる背面部２１ｂ及び支持部１３０には、コ字型のハンドセットおもり１４０が当接されることになる。このハンドセットおもり１４０は、ネジ１５１，１５２によりハンドセットベース１１０に取り付けられる。
【００２０】
ハンドセットおもり１４０の取り付け終了後に、ハンドセットベース１１０の開口部に対しハンドセットカバー２００が装着される。そして、ハンドセットカバー２００は、ネジ１７０によりハンドセットベース１１０に固定される。このため、レシーバ２１は、図４に示すように、その音声出力部２１ａがスポンジ１２０を介して第１の筐体１１１の円状のリブ１１１ａ，１１１ｂに支持される。また、レシーバ２１の背面部２１ｂとハンドセットカバー２００との間には、後気室１８０が形成される。
【００２１】
図５は、上記レシーバ２１の構造を示すもので、（ａ）は側面図、（ｂ）は背面部２１ｂの正面図をそれぞれ示している。このレシーバ２１は、その背面部２１ｂに、レシーバ２１の内部の空気を後気室１８０に送る空気穴２１ｃが設けられている。
【００２２】
ところで、後気室１８０において、容積が十分でない場合、図６の点線に示すように、低域感度（１５０Ｈｚ〜２５０Ｈｚ）が悪化してしまうことになる。この低域感度が悪化してしまうと、通話相手からの音声がこもったような小さな音になる。特に、電話機全体の小型化を図ると、ハンドセット２自体も小型化することになり、後気室１８０の容積が十分に確保できない場合がある。
【００２３】
そこで、本第１の実施形態では、レシーバ２１の背面部２１ｂ側、つまり後気室１８０の面した所に、ハンドセット２の連結部１１３の長手方向に沿って２箇所の穴３１０，３２０を貫通して形成するようにしている。これら穴３１０，３２０により、後気室１８０とハンドセット２外部とがつながって空気が自由に行き来できるようになるため、図６の実線で示すように、低域感度が改善する。
【００２４】
従って、このように構成された電話機においては、ハンドセット２が小型化されたとしても、話者の手により穴３１０，３２０が塞がれることが防止され、これによりハンドセット２の受話側において安定した低域感度を確保でき、人の耳に入る音質の向上を実現できる。
【００２５】
また、上記穴３１０，３２０は、連結部１１３の長手方向に沿って互いに対向する位置に形成されるため、通常の金型技術で穴をあけることができる。図７は、その金型構造とその動きを示す断面図である。
【００２６】
まず、図７（ａ）に示すように、穴３１０は金属部４１０と一体的に形成され、穴３２０はＸ軸方向にスライド可能なスライドコマ４２０と一体的に形成されている。そして、穴３２０を形成する場合、図７（ａ）に示す状態から図７（ｂ）に示す状態へ、スライドコマ４２０を図中Ｘ１方向へ移動させる。これにより、穴３２０が形成される。
【００２７】
続いて、穴３１０を形成する場合、図７（ｂ）に示す状態から図７（ｃ）に示す状態へ、金属部４１０を図中Ｙ１方向へ移動させ、金属部４３０を図中Ｙ２方向へ移動させる。これにより、ハンドセットベース１１０及び穴３１０が形成される。
【００２８】
以上のように上記第１の実施形態では、ハンドセット２の第１の筐体１１１に穴３１０，３２０を、レシーバ２１の背面部２１ｂ側で、ハンドセット２の連結部１１３の長手方向、つまり人の手の握りを軸とする軸上の上下の位置に形成するようにしている。従って、話者のハンドセット２の持ち方に関係なく、穴３１０，３２０が塞がれることはなくなり、これによりハンドセット２の受話側において安定した低域感度を確保でき、人の耳に入る音質の向上を実現できる。
【００２９】
また、穴３１０，３２０は、第１の筐体１１１の互いに対向する位置に貫通して形成される。これにより、通常の金型技術で穴をあけることができ、製造性が良くなる。
【００３０】
（第２の実施形態）  
図８は、第２の実施形態として、ハンドセット２の第１の筐体１１１側の内部構造を示す断面図である。図８において、上記図４と同一部分には同一符号を付して詳細な説明を省略する。
【００３１】
本第２の実施形態では、第１の筐体１１１において、ハンドセット２の連結部１１３の長手方向に沿っているが、穴３１０と対向しない位置に穴３３０を貫通して形成するようにしている。
【００３２】
上記第２の実施形態にあっても、先の第１の実施形態と同様に、話者のハンドセット２の持ち方に関係なく、穴３１０，３３０が塞がれることはなくなり、これによりハンドセット２の受話側において安定した低域感度を確保でき、人の耳に入る音質の向上を実現できる。
【００３３】
（その他の実施形態）  
上記各実施形態に限定されるものではない。電話機以外の通信機器や、ハンドセットの構造等についても、この発明の要旨を逸脱しない範囲で種々変形して実施できる。
【００３４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３５】
１…電話機本体、２…ハンドセット、１１…表示部、１２…キーマトリクス、１３…伝送部、１４…通話処理部、１５…主制御部、２１…レシーバ、２１ａ…音声出力部、２１ｂ…背面部、２１ｃ…空気穴、２２…マイクロホン、２３、２４…配線、２５…コネクタ、１１０…ハンドセットベース、１１１…第１の筐体、１１２…第２の筐体、１１３…連結部、１２０…スポンジ、１３０…支持部、１４０…ハンドセットおもり、１５１，１５２…ネジ、１８０…後気室、２００…ハンドセットカバー、３１０，３２０，３３０…穴、４１０，４３０…金属部、４２０…スライドコマ。
【図１】
2013115742.tif 000003
【図２】
2013115742.tif 000004
【図３】
2013115742.tif 000005
【図４】
2013115742.tif 000006
【図５】
2013115742.tif 000007
【図６】
2013115742.tif 000008
【図７】
2013115742.tif 000009
【図８】
2013115742.tif 000010